(57)【要約】【課題】  非接触ＲＦＩＤタグのＩＤデータをＰＣに取り込み、ＰＣでそのデータと関連のある認識番号等を印字するＩＣタグの印字システムを提供する。【解決手段】  コンベア２上を搬送されるワークＩの所定部位にＩＣタグ３を定着し、コンベア２上の上流側所定位置にＩＣタグ３のアンテナを介して送信される電波を受信するアンテナ４を設け、この受信した信号をアンテナ４から受け前記タグＩＤデータを読み出すＩＣタグリーダー５と、この読み出されたタグＩＤデータを前記ＩＣタグリーダー５から送られタグＩＤデータを照合しワークＩの固有番号に対する所定情報を付与しこの所定情報に対応する印字データを紐付けするＰＣ６と、この紐付けされた印字データをＰＣ６から送られワークＩの所定印刷部位に当該印字データに基づく文字を印字するインクジェットプリンター７とをコンベア２近傍の所定位置に設けたことを特徴とするＩＣタグの印字システム。【選択図】    図１
2006302234.tif 000002
【特許請求の範囲】
【請求項１】
ライン上を搬送される管理対象物の所定部位にタグＩＤデータが記憶されているＲＦＩＤチップと送信用のアンテナとからなるＩＣタグを定着し、ライン上の上流側所定位置にＩＣタグのアンテナを介して送信される電波を受信するアンテナを設け、この受信した信号をアンテナから受け前記タグＩＤデータを読み出すＩＣタグリーダーと、この読み出されたタグＩＤデータを前記ＩＣタグリーダーから送られタグＩＤデータを照合し管理対象物の固有番号に対する認識番号や各種データ等所定情報を付与しこの所定情報に対応する印字データを紐付けする管理装置と、この紐付けされた印字データを管理装置から送られ前記管理対象物の所定印刷部位に当該印字データに基づく文字を印字するインクジェットプリンターと、をライン近傍の所定位置に設けたことを特徴とするＩＣタグの印字システム。
【請求項２】
ライン上を搬送される管理対象物の所定部位にＤデータ未書込みのＲＦＩＤチップと受信用のアンテナとを内蔵しているＩＣタグを定着し、コンベアの上流側所定位置に前記管理対象物の所定印刷部位に設定印字データに基づく文字を印字するインクジェットプリンターを設け、このインクジェットプリンターから設定印字データを送られ当該管理対象物に付与すべき固有番号と認識番号や各種データ等所定情報を照合しこの所定情報に対応する設定印字データを紐付けする管理装置と、この管理装置から当該ＩＣタグに付与するタグＩＤデータとして送られるＩＣタグリーダー／ライターと、このＩＣタグリーダー／ライターから前記タグＩＤデータを送られこのタグＩＤデータを当該管理対象物の前記ＩＣタグに送るアンテナと、をライン近傍の所定位置に設け、当該ＩＣタグはアンテナから送信された電波をＩＣタグのアンテナを介して受信しこの受信信号から当該タグＩＤデータを未書込みであったＲＦＩＤチップに書込むものとしたことを特徴とするＩＣタグの書込システム。
【発明の詳細な説明】
【技術分野】
【０００１】  本発明は非接触ＲＦＩＤタグのＩＤデータを管理装置に取り込み、管理装置でそのデータと関連のある印字データを印字するＩＣタグの印字システム、及び、逆に印字した印字データを管理装置に取り込み、管理装置からそのデータと関連のあるＩＤデータをＲＦＩＤタグに書込むＩＣタグの書込システムに関するものである。
【技術背景】
【０００２】  ＲＦＩＤタグの書込、読取に関するものとして、例えば特表２００２−５１１３１４号公報に示すごとく、ＲＦＩＤ書込／読取能力を備えたパッケージ印刷システム受動ＲＦＩＤタグを備えた製品をパッケージ内に提供し、パッケージには外部から見えるように、インクジェットプリンタを使用して人間に読取可能な住所情報を画像形成し、ＲＦＩＤタグに輸送及び追跡データの少なくとも一方を符号化することを含む方法が有る。但し、このパッケージラベルには簡単な住所情報のみ印刷してあり、詳細な輸送又は追跡情報は無い。
【発明の開示】
【発明が解決しようとする課題】
【０００３】  前記特表２００２−５１１３１４号公報に示すものはパッケージラベルには詳細な追跡情報等が無いので、パッケージ内の製品に備えられたＲＦＩＤタグから必要情報を読み取らねばならない。また、他の従来例でも、非接触ＲＦＩＤタグのＩＤデータをＰＣに取り込み、ＰＣでそのデータと関連のある認識番号等を印字するＩＣタグの印字システムや、印字したデータをＰＣに取り込み、ＰＣからそのデータと関連のあるＩＤデータをＲＦＩＤタグに書込むＩＣタグの書込システムに関するものは見当たらない。
【課題を解決するための手段】
【０００４】  上記の課題を解決するために、本発明はライン上を搬送される管理対象物の所定部位にタグＩＤデータが記憶されているＲＦＩＤチップと送信用のアンテナとからなるＩＣタグを定着し、ライン上の上流側所定位置にＩＣタグのアンテナを介して送信される電波を受信するアンテナを設け、この受信した信号をアンテナから受け前記タグＩＤデータを読み出すＩＣタグリーダーと、この読み出されたタグＩＤデータを前記ＩＣタグリーダーから送られタグＩＤデータを照合し管理対象物の固有番号に対する認識番号や各種データ等所定情報を付与しこの所定情報に対応する印字データを紐付けする管理装置と、この紐付けされた印字データを管理装置から送られ前記管理対象物の所定印刷部位に当該印字データに基づく文字を印字するインクジェットプリンターと、をライン近傍の所定位置に設けたものとした。【０００５】  また、ライン上を搬送される管理対象物の所定部位にＤデータ未書込みのＲＦＩＤチップと受信用のアンテナとを内蔵しているＩＣタグを定着し、コンベアの上流側所定位置に前記管理対象物の所定印刷部位に設定印字データに基づく文字を印字するインクジェットプリンターを設け、このインクジェットプリンターから設定印字データを送られ当該管理対象物に付与すべき固有番号と認識番号や各種データ等所定情報を照合しこの所定情報に対応する設定印字データを紐付けする管理装置と、この管理装置から当該ＩＣタグに付与するタグＩＤデータとして送られるＩＣタグリーダー／ライターと、このＩＣタグリーダー／ライターから前記タグＩＤデータを送られこのタグＩＤデータを当該管理対象物の前記ＩＣタグに送るアンテナと、をライン近傍の所定位置に設け、当該ＩＣタグはアンテナから送信された電波をＩＣタグのアンテナを介して受信しこの受信信号から当該タグＩＤデータを未書込みであったＲＦＩＤチップに書込むものとするとよい。
【発明の効果】
【０００６】  本発明は、以上の構成としたので、管理対象物が器具本体である場合、器具本体の所定部位にＩＣタグを定着すると、ＩＣタグの固有番号が当該器具に固有番号として付与したことになり、又は管理対象物が食品等を梱包した外装箱である場合、この外装箱の表面、裏面又は内部の食品等の所定部位にＩＣタグを定着すると、ＩＣタグの固有番号が内部の食品等を含めて外装箱に固有番号として付与されたことになり、製造者又は販売者がＰＣにてリーダー本体を介してＩＣタグの固有番号を読み取ると、この固有番号を付与されている当該管理対象物、例えは器具又は食品の最大限の情報である認識番号や各種データ等、所定情報を読み取ることが出来るともに、また器具本体の平面部又は印字食品等を梱包した外装箱の表面を所定印刷部位としてインクジェットプリンターにて印字データに基づき商品名、型式、製造番号、製造年月、賞味期限等の内、設定した文字情報を印字すると、販売者やユーザーは印字された文字にて当該器具や食品等の必要最小限の情報を知ることが出来るＩＣタグの印字システムが提供出来る。【０００７】  また、前記管理対象物の所定部位にＩＤデータ無し（未書込み）のＩＣタグを貼着し、管理対象物の所定印刷部位にインクジェットプリンターにて設定印字データに基づき商品名、型式、製造番号、製造年月、産地、生産者、賞味期限、金額等の内、設定した文字情報を印字すると、販売者やユーザーは印字された文字にて当該管理対象物の必要最小限の情報を知ることが出来るとともに、またリーダー本体／ライターはＰＣから送られた固有番号と認識番号や各種データ等、所定情報と、設定印字データを紐付けした、タグＩＤデータを、未書込みであったＲＦＩＤチップに書込むので、製造者又は販売者がＰＣにてリーダー本体／ライターを介して、当該タグＩＤデータを読み取ることにより、この固有番号を付与されている当該食品等の最大限の情報である認識番号や各種データ等、所定情報を読み取ることが出来るＩＣタグの書込システムが提供出来る。【０００８】  また、前記ＲＦＩＤチップは、従来のバーコードの固有番号では対応できなくなった最近のトレーサビリティー等にも対応できるよう、固有番号に必要データの紐付けや書込みが出来るという効果が有り、また、光学的にバーコードをスキャンするのに対し、電波により非接触式に信号を送受信するものであるので、表面に印刷されているバーコードの如く、汚損や擦切れの如く読取り不能になることなく、また、外観を損なうことも無い効果的なものである。
【発明を実施するための最良の形態】
【０００９】  以下本発明の一実施例を図により説明する。
【実施例１】
【００１０】  図１は本発明の実施例１を示すＩＣタグのＩＤデータに紐付けされた印字データを印字するＩＣタグの印字システム構成図であり、図２は同じくＩＣタグの印字システムのフローチャートである。  図１において、管理対象物（以下ワークと記す）１はコンベア２により図中の左（上流側）から右（下流側）へ搬送されている。このワーク１の所定部位（例えばワーク１が器具本体である場合器具本体、又はワーク１が食品等を梱包した外装箱である場合、この外装箱の表面、裏面又は内部の食品等）には非接触ＲＦＩＤタグからなるＩＣタグ３が定着（目的に適した方法であれば貼着、持着、挿着、纏着等何れでもよい）されており、このＩＣタグ３はワーク１に付与する固有番号を含むタグＩＤデータが記憶されているＲＦＩＤチップと送信用のアンテナとを内蔵している。【００１１】  コンベア２の上流側側面又は上面等所定位置に設けられたＩＣタグリーダーのリーダーアンテナ４はＩＣタグ３のアンテナを介して送信された電波を受信し、ＩＣタグリーダーのリーダー本体５はこの受信された信号から前記タグＩＤデータを読み出し、管理装置（以下ＰＣと記す）６に送る。このＰＣ６はタグＩＤデータを照合し、ワーク１の固有番号に対する認識番号や各種データ等、所定情報を付与し所定情報に対応する印字データを紐付けし、この印字データをインクジェットプリンター７に送る。インクジェットプリンター７は送られた印字データに対応する当該ワーク１の所定印刷部位に当該印字データに基づく文字を印字ヘッド８にて印字する。【００１２】  以上により、図２に示す如く、「スタート」後、「ワークが読取位置へ到達」すると、リーダーアンテナ４が「ＩＣタグからＩＤ番号を読み取る」。次に「ＰＣ上で読み取ったＩＤ番号と印字データを紐付けする」。次に「インクジェットプリンターへ印字を指示」する。次に「正常に印字したか」、ＹＥＳであれば「エンド」となり、ＮＯであれば「ＰＣでＩＤ番号と印字データを手動で設定する」となり、「ＰＣ上でＩＤ番号と印字データを紐付けする」にフィードバックする。【００１３】  以上の構成により、例えば、前記ワーク１が平面部を有する家庭用器具である場合、この家庭用器具の平面部を所定部位として、この平面部にＩＣタグ３を貼着すると、ＩＣタグ３の固有番号が当該家庭用器具に固有番号として付与したことになり、製造者又は販売者がＰＣ６にてリーダー本体５を介してＩＣタグ３の固有番号を読み取ると、この固有番号を付与されている当該家庭用器具の最大限の情報である認識番号や各種データ等、所定情報を読み取ることが出来るともに、また家庭用器具の平面部を所定印刷部位としてインクジェットプリンター７にて印字データに基づき製品名、型式、製造番号、製造年月等の文字を印字すると、販売者やユーザーは印字された文字にて当該家庭用器具の製品名、型式、製造番号、製造年月等必要最小限の情報を知ることが出来る。【００１４】  また、例えば、前記ワーク１が食品等を梱包した外装箱である場合、外装箱の表面、裏面又は内部の食品等の所定部位にＩＣタグ３を貼着すると、ＩＣタグ３の固有番号が内部の食品等を含めて外装箱に固有番号として付与されたことになり、製造者又は販売者がＰＣ６にてリーダー本体５を介してＩＣタグ３の固有番号を読み取ると、この固有番号を付与されている当該食品等の最大限の情報である認識番号や各種データ等、所定情報を読み取ることが出来るともに、また外装箱の所定印刷部位にインクジェットプリンター７にて印字データに基づき品名、産地、生産者、賞味期限、金額等の文字を印字すると、販売者やユーザーは印字された文字にて当該食品等の品名、産地、生産者、賞味期限、金額等必要最小限の文字情報を知ることが出来る。
【実施例２】
【００１５】  図３は本発明の実施例２を示す印字ＩＤデータをＩＣタグへ書込むＩＣタグの書込システム構成図であり、図４は同じくＩＣタグの印字システムのフローチャートである。  図３において、ワーク１はコンベア２により図中の右（上流側）から左（下流側）へ搬送されている。このワーク１の所定部位にはＩＤデータ無し（未書込み）のＩＣタグ３が定着されており、このＩＣタグ３はＲＦＩＤチップと受信用のアンテナとを内蔵している。【００１６】  コンベア２の上流側所定位置に設けられたインクジェットプリンター７はワーク１の所定印刷部位に設定印字データに基づく文字を印字ヘッド８にて印字するとともに、この設定印字データをＰＣ６に送る。このＰＣ６は、当該ワーク１に付与すべき固有番号と認識番号や各種データ等、所定情報を照合し、この所定情報に対応する当該設定印字データを紐付けして、当該ＩＣタグ３に付与するタグＩＤデータとして、リーダー本体／ライター９に送る。  ？  このリーダー本体／ライター９は送られたタグＩＤデータをリーダーアンテナ４に送る。リーダーアンテナ４は当該タグＩＤデータを当該ワーク１のＩＣタグ３に送る。当該ＩＣタグ３は送信された電波を、アンテナを介して受信し、この受信された信号から当該タグＩＤデータを未書込みであったＲＦＩＤチップに書込む。【００１７】  以上により、図４に示す如く、「スタート」後、「ワークが読取位置へ到達」すると、「インクジェットプリンターでワークに印字する」。次にインクジェットプリンター７は「印字したデータをＰＣに送る」。次に「ＰＣ上で読み取った印字データとＩＤ番号を紐付けする」。次にリーダーアンテナ４にて「ＩＣタグへ紐付けしたＩＤ番号を送信する」。次に「正常に書込みしたか」、ＹＥＳであれば「エンド」となり、ＮＯであれば「ＰＣで印字データとＩＤ番号を手動で設定する」となり、「ＰＣ上で印字データとＩＤ番号を紐付けする」にフィードバックする。【００１８】  以上の構成により、前記ワーク１の所定部位にＩＤデータ無し（未書込み）のＩＣタグ３を貼着し、ワーク１の所定印刷部位にインクジェットプリンター７にて設定印字データに基づき商品名、型式、製造番号、製造年月、産地、生産者、賞味期限、金額等の内、設定した文字情報を印字すると、販売者やユーザーは印字された文字にて当該ワーク１の商品名、型式、製造番号、製造年月、産地、生産者、賞味期限、金額等の内、必要最小限の文字情報を知ることが出来るとともに、またリーダー本体／ライター９はＰＣ６から送られた当該ワーク１に付与すべき固有番号と認識番号や各種データ等、所定情報と、設定印字データを紐付けした、タグＩＤデータを、リーダーアンテナ４を介してワーク１のＩＣタグ３に送り、当該ＩＣタグ３は当該タグＩＤデータを未書込みであったＲＦＩＤチップに書込むので、製造者又は販売者がＰＣ６にてリーダー本体／ライター９を介して、当該タグＩＤデータを読み取ることにより、この固有番号を付与されている当該商品等の最大限の情報である認識番号や各種データ等、所定情報を読み取ることが出来る。【００１９】  なお、本発明の主旨を満足するのであれば、前記ワーク１は、製品そのものでも、外装箱でもよい。また、前記所��印刷部位は製品や外装箱に限定するものでなく、ＩＣタグ３を印刷ラベル兼用として、ワーク１に定着した実施例１又は２に示す前記ＩＣタグ３の所定印刷部位としてもよく、本システムの利用者が目的に合わせて自由に設定できる。また、インクジェットプリンター７で印字するものは文字に限定するものでなく印字データ又は設定印字データに基づく図形やイラスト等でもよい。【００２０】  また、実施例１に示す前記ＲＦＩＤチップ、又は実施例２に示す前記ＲＦＩＤチップは、従来のバーコードの固有番号では対応できなくなった最近のトレーサビリティー等にも対応できるよう、固有番号に必要データの紐付けや書込みが出来る。また、光学的にバーコードをスキャンするのに対し、電波により非接触式に信号を送受信するものであるので、表面に印刷されているバーコードの如く、汚損や擦切れの如く読取り不能になることなく、また、外観を損なうことも無い効果的なものである。
【図面の簡単な説明】
【００２１】
【図１】  本発明の一実施例を示す実施例１を示すＩＣタグのＩＤデータに紐付けされた印字データを印字するＩＣタグの印字システム構成図である。
【図２】  同じくＩＣタグの印字システムのフローチャートである。
【図３】  本発明の実施例２を示す印字データをＩＣタグへ書込むＩＣタグの書込システム構成図である。
【図４】  同じくＩＣタグの書込システムのフローチャートである。
【符号の説明】
【００２２】１  管理対象物（ワーク）
２  コンベア
３  ＩＣタグ
４  アンテナ
５  ＩＣタグリーダー
６  管理装置（ＰＣ）
７  インクジェットプリンタ
８  印字ヘッド
９  リーダー本体／ライター
【図１】
2006302234.tif 000003
【図２】
2006302234.tif 000004
【図３】
2006302234.tif 000005
【図４】
2006302234.tif 000006